(57)【特許請求の範囲】
【請求項１】
巻芯の両端に一体に形成された鍔を有するドラム型コアと、前記巻芯に巻回された巻線と、前記ドラム型コアの両端の鍔の周面及び端面に設けられて前記巻線の端部が接続された下地電極と、一方の鍔周面の下地電極の一部から他方の鍔の周面の一部に亘って被覆する外装部材と、鍔周面の外装部材上から下地電極上を覆う端子電極と、を有する面実装型コイルにおいて、
前記鍔の周面上の外装部材が鍔の端部方向へ延びる突出部と該突出部より巻芯寄り領域で下地電極を露出する欠落部とを有することを特徴とする面実装型コイル。
【請求項２】
請求項１に記載の面実装型コイルにおいて、前記ドラム型コアの鍔に溝が設けられていることを特徴とする面実装型コイル。
【請求項３】
請求項１に記載の面実装型コイルにおいて、前記ドラム型コアの鍔の周面の角部に切欠部が設けられていることを特徴とする面実装型コイル。
【請求項４】
請求項１に記載の面実装型コイルにおいて、前記ドラム型コアの鍔の周面及び／または端面に凹凸が設けられていることを特徴とする面実装型コイル。
【請求項５】
請求項１に記載の面実装型コイルにおいて、下地電極が網目状又はポーラス状、あるいは下地電極の表面が凹凸であることを特徴とする面実装型コイル。
【請求項６】
請求項１〜請求項５に記載の面実装型コイルにおいて、下地電極とドラム型コアの端面との間に応力緩和層を備えることを特徴とする面実装型コイル。
【請求項７】
面実装型コイルの製造方法において、鍔周面の下地電極と対向するモールド金型の一部に弾性体を配置し、該弾性体がモールド金型内に配置されたドラム型コアの鍔の前記下地電極に当接させた状態で外装部材をモールドすることを特徴とする請求項１乃至請求項６の何れかに記載の面実装型コイルの製造方法。
【発明の詳細な説明】
【０００１】
【発明の属する技術分野】
本発明はプリント基板上に面実装可能な面実装型コイルに関し、特にその電極構造と製造方法に関する。
【０００２】
【従来の技術】
チップマウンタ（チップ装着機）を用いたプリント基板への高密度面実装を実現するために、電子部品の小型化、チップ化が進展している。この点、巻線をコアの巻芯に巻回する構造（巻線形）の面実装型コイルとしては、例えば、図１０の一部破断した斜視図乃至図１１の断面図に示される面実装型コイル１０のように、巻芯１の両端に一体に形成された鍔２、３を有するドラム型コア４と、前記巻芯１に巻回された巻線５と、前記ドラム型コア４の両端の鍔２、３の各周面２ａ、３ａ及び各端面２ｂ、３ｂに設けられて前記巻線５の端部が接続された下地電極６と、一方の鍔２（または鍔３）の周面２ａ（または周面３ａ）の下地電極６の一部から他方の鍔３（または鍔２）の周面３ａ（または周面２ａ）の一部に亘って被覆する外装部材７と、鍔周面２ａ、３ａの外装部材７上から下地電極６上を覆う端子電極８と、を有する構造が典型である。
【０００３】
上記面実装型コイル１０に使用されているドラム型コア４は、例えば高抵抗率のニッケル亜鉛系フェライト等の磁性体もしくはアルミナ等の絶縁体からなるコアであって、下地電極６の直付けを可能としている。また、前記下地電極６は、例えばディップ・焼き付け、またはメッキすることにより銀、銀−白金または銅とその上に被着されたニッケル・錫または錫合金等の導電材からなる導電被膜であり、前記外装部材７は、モールド金型にて射出成形されるエポキシ系合成樹脂材である。また、巻線５は直径が０．０３〜０．１５ｍｍ程度の絶縁被覆導線（絶縁被覆材料としてポリウレタン、ポリアミドイミド等）であり、その両端は鍔２、３の周面２ｂ、３ｂで下地電極６に溶接、熱圧着または超音波振動またはこれらの併用により接合されている。
【０００４】
以上のように、ドラム型コア４の巻芯１を横置きとしてその両端の鍔２、３の端面２ｂ、３ｂ及び周面２ａ、３ａに端子電極８を直付けした構造とし、さらに外装部材７を外装・整形することによって、その外形寸法は日本電子機械工業会の積層磁器コンデンサ規格ＲＣ−３４０２に準じた極めて小型、薄型の面実装型コイル１０が実現されている。
【０００５】
【発明が解決しようとする課題】
しかしながら、上記従来の面実装型コイル１０では、図１０及び図１１から判るように、鍔２について注目すると（鍔３も以下同様）、外装部材７がドラム型コア４の鍔２の周面２ａから端面２ｂにまで環状に被っていて、下地電極６が外装部材７から露出している部分６ａは端面２ｂの中央付近の一部のみとなっていて、周面２ａ側にある下地電極は外装部材７が被っていて全く露出していない。
【０００６】
したがって、端子電極８（図１０の鍔２側では破線で示される。）と下地電極６が接合している領域は上記鍔２の端面２ａの一部の下地電極の部分６ａに過ぎず、端子電極８と下地電極６との接合強度は構造的に十分ではなかった。
【０００７】
蓋し、プリント基板に上記面実装型コイル１０をハンダ付けした場合に、温度変化、例えば熱サイクル試験においては端子電極８に懸かる引っ張り応力によって端子電極８と下地電極６との接合部分（下地電極の６ａ部分）が剥がれ易かったのである。
【０００８】
上記の点に対しては、端子電極８が鍔２、３の端面２ｂ、３ｂのみならず少なくとも鍔２、３の周面２ａ、３ａ上の下地電極６の一部と接合していればその接合強度は飛躍的に増大することが本発明者の実験で判った。
【０００９】
勿論、鍔２、３の端面２ｂ、３ｂや周面２ａ、３ａに付着した余分な外装部材をモールド後に除去すればよいのであるが、周面２ａ、３ａに環状に付着した外装部材は強固であり、これを除去するのは極めて困難である。
【００１０】
解決法として、外装部材７のモールド時に外装材料が充填されて金型との隙間（クリアランス）から回り込んで鍔の端面２ｂ側にまで侵入するのを前記隙間を無くして防止することが考えられるが、隙間を無くす手段ではモールド時に外装材料の逃げ路が無くなって高い圧力がドラム型コア４や巻線５に印加されてしまう結果となる。外装材料を均一にモールド金型内部に流し込むためには逃げ路を設ける必要があり、結果として余分な外装部材（所謂モールドのバリである。）の形成は必須となる。
【００１１】
本発明は、上記事情に鑑みてなされたものであり、信頼性の高い電極構造を備える面実装型コイルとその製造方法を提供することを目的とする。
【００１２】
【課題を解決するための手段】
本発明は、
（１）巻芯の両端に一体に形成された鍔を有するドラム型コアと、前記巻芯に巻回された巻線と、前記ドラム型コアの両端の鍔の周面及び端面に設けられて前記巻線の端部が接続された下地電極と、一方の鍔周面の下地電極の一部から他方の鍔の周面の一部に亘って被覆する外装部材と、鍔周面の外装部材上から下地電極上を覆う端子電極と、を有する面実装型コイルにおいて、
前記鍔の周面上の外装部材が鍔の端部方向へ延びる突出部と該突出部より巻芯寄り領域で下地電極を露出する欠落部とを有することを特徴とする面実装型コイルを提供することにより上記目的を達成する。
【００１３】
（２）また、上記（１）に記載の面実装型コイルにおいて、前記ドラム型コアの鍔に溝が設けられていることを特徴とする面実装型コイルを提供することにより、上記目的を達成する。
【００１４】
（３）また、上記（１）に記載の面実装型コイルにおいて、前記ドラム型コアの鍔の周面の角部に切欠部が設けられていることを特徴とする面実装型コイルを提供することにより、上記目的を達成する。
【００１５】
（４）また、上記（１）に記載の面実装型コイルにおいて、鍔の周面及び／または端面に凹凸が設けられていることを特徴とする面実装型コイルを提供することにより、上記目的を達成する。
【００１６】
（５）また、上記（１）に記載の面実装型コイルにおいて、下地電極が網目状又はポーラス状、あるいは下地電極の表面が凹凸であることを特徴とする面実装型コイルを提供することにより、上記目的を達成する。
【００１７】
（６）また、上記（１）〜（５）に記載の面実装型コイルにおいて、下地電極とドラム型コアの端面との間に応力緩和層を備えることを特徴とする面実装型コイルを提供することにより、上記目的を達成する。
【００１８】
（７）さらに、面実装型コイルの製造方法において、鍔周面の下地電極と対向するモールド金型の一部に弾性体を配置し、該弾性体がモールド金型内に配置されたドラム型コアの鍔の前記下地電極に当接させた状態で外装材料をモールドすることを特徴とする上記（１）乃至（６）の何れかに記載の面実装型コイルの製造方法を提供することにより、上記目的を達成する。
【００１９】
【発明の実施の形態】
本発明に係る面実装型コイルの実施の形態を図面に基いて説明する。なお、前述の従来の面実装型コイル１０と同等部材については同符号にて示す。
【００２０】
図１は本発明の請求項１に係る面実装型コイルの断面図であり、図２は同面実装型コイルの端子電極を設ける前の鍔の周側面における外部電極と外装部材の積層構造を示す斜視図である。また、図３は本発明の請求項２に係るドラム型コアの斜視図であり、図４は本発明の請求項３に係るドラム型コアの鍔形状を説明するための図である。図５は本発明の請求項４に係るドラム型コアの鍔形状を説明するための図である。図６は本発明の請求項５に係る下地電極の形状を説明するための図であり、図７は同じく請求項５に係る下地電極の他の形状を説明するための図である。また、図８は本発明の請求項６に係る面実装型コイルの断面図である。図９は本発明の請求項７に係る面実装型コイルの外装部材のモールド時の状態を示す断面図である。
【００２１】
図１乃至図２において、面実装型コイル３０は、巻芯１の両端に一体に形成された鍔２、３を有するドラム型コア４と、前記巻芯１に巻回された巻線５と、前記ドラム型コア４の両端の鍔２、３の周面２ａ、３ａ及び端面２ｂ、３ｂに設けられて前記巻線５の端部（図示略）が接続された下地電極６と、一方の鍔２の周面２ａの下地電極の一部から他方の鍔３の周面３ａの下地電極の一部に亘って被覆する外装部材１７と、鍔２、３周面２ａ、３ａの外装部材上から下地電極６上を覆う端子電極１８と、を有する構造であり、特に前記鍔２、３の周面２ａ、３ａ上の外装部材が図２に示されるように、鍔２、３の端部方向へ延びる突出部Ｐと該突出部Ｐより巻芯寄り領域で下地電極６を露出する欠落部Ｖとを有することを特徴とする。
【００２２】
上記特徴は換言すれば、下地電極６には少なくとも鍔２、３の周面２ａ、３ａ上に外装部材１７が被っていない露出部分を有している。この際、下地電極６の突出部Ｐの先端は周面２ａ、３ａに留まっていてもよいし、端面２ｂ、３ｂにまで達していてもよい。
【００２３】
上記下地電極６と外装部材１７との積層関係によれば、鍔２、３の端面２ｂ、３ｂ及び周面２ａ、３ａに設けられた端子電極１８と下地電極６との接合領域は鍔２、３の端面２ｂ、３ｂのほぼ全域と周面２ａ、３ａの一部に亘ることになり、接合領域が端面の一部に過ぎない従来の面実装型コイル１０に比して飛躍的に接合強度が増して剥がれにくくなる。その結果、熱サイクル試験における信頼性が向上する。
【００２４】
次に、図２の面実装型コイル３０においては、鍔の周面２ａ、３ａにおける外装部材１７の縁の突出部Ｐと欠落部Ｖは波形のように形成されているが、これは例えば図３に示されるように、鍔に溝Ｍが設けられているドラム型コア１２を用いることで実現される。即ち、上記ドラム型コア１２に図１のように下地電極６を設けた後、外装部材１７となる外装材料をモールドすると、外装材料は鍔の上記溝Ｍによるモールド金型との隙間が逃げ路となって溝Ｍでない周面部分Ｓには被らず、下地電極６が露出することになる。なお、端面に達した外装材料が固化したバリは除去してもよいし（環状ではないのでバリの削除は容易である。）、そのまま端子電極１８を設けてもよい。
【００２５】
また、前記外装部材１７の外装材料の逃げ路は図４に示されるように、前記図１のドラム型コア４の鍔２、３の周面２ａ、３ａの角部にコアの軸方向に伸びた切欠部Ｚ１〜Ｚ３が設けられていることでも実現される。即ち、図４の（ａ）のドラム型コア１３では切欠部が矩形Ｚ１の場合、（ｂ）のドラム型コア１４では切欠部がテーパーＺ２の場合、（ｃ）のドラム型コア１５では切欠部Ｚがアール面Ｚ３の場合である。これらの場合は上記切欠部Ｚ１〜Ｚ３の加工が容易であり、比較的深く切り欠くことができるので、外装材料の逃げ路として有効であるという利点がある。勿論、以上に説明した下地電極６を設けたドラム型コア４、１２、１３、１４、１５の鍔とモールド金型とのクリアランスは可及的に小さくして外装部材１７の外装材料が鍔２、３の周面２ａ、３ａの全部に被らないようにすることが肝要である。
【００２６】
次に、上記面実装型コイル３０において、図５に示されるようにドラム型コア２１の鍔の周面２ａ、３ａ及び／または端面２ｂ、３ｂに凹凸（凸部Ｘ、凹部Ｙ）が設けられている構成でもよい。蓋し、モールド時の外装部材１７の樹脂は凹部Ｙが逃げ路となって鍔２の端面２ｂ側へ押し出されるものの、モールド金型と鍔とのクリアランスを小さくすることで端面２ｂや周面２ａの凸部Ｘの上面には被らないようにできるので、下地電極の外装部材１７からの露出部分を端面２ｂと周面２ａの双方で十分に確保することが可能なのである。
【００２７】
次に、上記面実装型コイル３０においては下地電極６の構造については特に指定はないが、例えば下地電極６が図６に示されるような網目状下地電極２６の場合、または図７に示されるようなポーラス状下地電極２７の形状にすると、その凹凸形状の上に端子電極１８が設けられることで種々の方向に接合面が形成され、平面的に積層される接合に比して大きな接合強度が得られる。
【００２８】
以上、ドラム型コアにおける鍔の端面乃至周面の形状の工夫による下地電極の外装部材からの露出部分の確保の手段、及び下地電極の形状の工夫による端子電極との接合強度向上の手段について複数説明したが、これらは組み合わせることで一層の端子電極の信頼性向上の効果が期待できる。
【００２９】
次に、例えば図８に示される面実装型コイル４０においては、図１の面実装型コイル３０と比較すると明らかなように、下地電極６とドラム型コア４の鍔２、３の端面２ｂ、３ｂとの間に応力緩和層２９が備えられており、熱サイクル試験等での端子電極１８に印加される引っ張り応力に対して緩衝効果が発揮される。即ち、端子電極１８と下地電極６が外方向へ引っ張られても応力緩和層２９が伸びるだけであって、端子電極１８は下地電極６から剥離しにくいし、下地電極６は鍔２、３の端面２ｂ、３ｂ及び周面２ａ、３ａから剥離しにくい。
【００３０】
上記応力緩和層２９にはシリコーン樹脂またはゴム変性エポキシ樹脂が適用され得る。
【００３１】
上述の端子電極１８の接合強度の向上手法は全て面実装型コイル自身における手段であるが、一般的なモールド金型による射出成形を用いた面実装型コイルの製造方法において、ドラム型コア４の鍔２、３の周面２ａ、３ａの下地電極６と対向するモールド金型４１、４２の一部に弾性体４３を配置し、該弾性体４３がモールド金型４１、４２内に配置されたドラム型コア４の鍔２、３の前記下地電極６に当接させた状態で外装部材１７の外装材料をモールドする製造方法の採用でも実現できる。この方法によれば、外装部材１７の外装材料は弾性体４３が配置されていないモールド金型４１、４２と鍔２、３との隙間を逃げ路として充填され、弾性体４３が当接している部分の下地電極６の表面に侵入せず、そこに外装部材１７が被らないのである。
【００３２】
上記弾性体４３としては耐熱性樹脂、例えば前述の応力緩和層２９と同様にシリコーン樹脂またはゴム変性エポキシ樹脂が適用され得る。
【００３３】
なお、前記下地電極６及び端子電極１８は、例えば銀含有樹脂ペーストであり、また、外装部材１７の外装材料としては、エポキシ系樹脂、フェノール樹脂、シリコン樹脂等の合成樹脂、あるいはこれらに磁性体粉末または絶縁体粉末を加えたものである。
【００３４】
上記のように本発明に係る面実装型コイル３０は外装部材１７が鍔２、３の周面２ａ、３ａに一部掛かるものの下地電極６が露出する欠落部Ｖを有することで、端子電極１８と下地電極６との接合部が周面に必ず形成され、両者の接合強度が増大するという効果が得られる。
【００３５】
【発明の効果】
本発明に係る面実装型コイルは、上記のように構成されているため、端子電極の接合強度が向上するという効果が得られる。
【００３６】
また、本発明に係る面実装型コイルの製造方法は、端子電極の接合強度向上に適し、モールド金型に設けた弾性体によってドラム型コアの鍔の周面に外装部材が被らず下地電極が露出して端子電極と接合する領域を容易に確保することができるという効果が得られる。
【図面の簡単な説明】
【図１】本発明の請求項１に係る面実装型コイルの断面図である。
【図２】同面実装型コイルの端子電極を設ける前の鍔の周側面における外部電極と外装部材の積層構造を示す斜視図である。
【図３】本発明の請求項２に係るドラム型コアの斜視図である。
【図４】本発明の請求項３に係るドラム型コアの鍔形状を説明するための図である。
【図５】本発明の請求項４に係るドラム型コアの鍔形状を説明するための図である。
【図６】本発明の請求項５に係る下地電極の形状を説明するための図である。
【図７】請求項５に係る下地電極の他の形状を説明するための図である。
【図８】本発明の請求項６に係る面実装型コイルの断面図である。
【図９】本発明の請求項７に係る面実装型コイルの外装部材のモールド時の状態を示す断面図である。
【図１０】従来の面実装型コイルの構造を説明するための一部破断した斜視図である。
【図１１】従来の面実装型コイルの断面図である。
【符号の説明】
１    巻芯
２、３    鍔
２ａ、３ａ    周面
２ｂ、３ｂ    端面
４、１２、１３、１４、１５    ドラム型コア
５    巻線
６    下地電極
６ａ    下地電極の露出部分
７、１７    外装部材
８、１８    端子電極
１０、３０、４０    面実装型コイル
２６      網目状下地電極
２７      ポーラス状下地電極
２９      応力緩和層
４１、４２      モールド金型
４３      弾性体
Ｍ      溝
Ｓ      溝でない周面部分
Ｐ      外装部材の突出部
Ｖ      外装部材の欠落部
Ｘ      凸部
Ｙ      凹部
Ｚ１〜Ｚ３      切欠部
【図１】
0003583965.tif 000002
【図２】
0003583965.tif 000003
【図３】
0003583965.tif 000004
【図４】
0003583965.tif 000005
【図５】
0003583965.tif 000006
【図６】
0003583965.tif 000007
【図７】
0003583965.tif 000008
【図８】
0003583965.tif 000009
【図９】
0003583965.tif 000010
【図１０】
0003583965.tif 000011
【図１１】
0003583965.tif 000012